(57)【要約】【課題】より迅速に断熱防水屋根の施工を実施し易くする。【解決手段】屋根防水下地３上に、断熱材５と防水材６とを積層し、面内方向に隣接する防水材６どうしの繋ぎ目部Ｊに、両防水材６にわたって合成樹脂製の帯状繋ぎ目防水シート４を一体に貼着してある屋根防水構造において、断熱材５は、上下面にそれぞれ金属板５ａを一体に設けられた断熱ボード５Ａで構成してあり、防水材６は、金属板５ａの上面に一体に付設した合成樹脂製防水層５ｂで構成してある。【選択図】図１
2008163671.tif 000002
【特許請求の範囲】
【請求項１】
屋根防水下地上に、断熱材と防水材とを積層し、面内方向に隣接する前記防水材どうしの繋ぎ目部に、両防水材にわたって合成樹脂製の帯状繋ぎ目防水シートを一体に貼着してある屋根防水構造であって、
前記断熱材は、上下面にそれぞれ金属板を一体に設けられた断熱ボードで構成してあり、前記防水材は、前記金属板の上面に一体に付設した合成樹脂製防水層で構成してある屋根防水構造。
【請求項２】
前記防水層は、前記繋ぎ目防水シートと同質材料で構成してある請求項１に記載の屋根防水構造。
【請求項３】
前記屋根防水下地への前記断熱材の固定部は、隣接する前記断熱ボードどうしの継ぎ目に配置してある請求項１又は２に記載の屋根防水構造。
【請求項４】
隣接する断熱ボードどうしの継ぎ目は、防水面内方向に相対移動自在な状態で上下に重なる重なり構造に形成してあり、前記固定部は、継ぎ目で重なる両断熱ボードを、防水面内方向に相対移動可能な状態に固定するように構成されている請求項１又は２に記載の屋根防水構造。
【発明の詳細な説明】
【技術分野】
【０００１】
本発明は、屋根防水下地上に、断熱材と防水材とを積層し、面内方向に隣接する前記防水材どうしの繋ぎ目部に、両防水材にわたって合成樹脂製の帯状繋ぎ目防水シートを一体に貼着してある屋根防水構造に関する。
【背景技術】
【０００２】
従来、この種の屋根防水構造としては、図５に示すように、コンクリートスラブで構成された屋根防水下地３上に合成樹脂製の発泡板からなる断熱材５を並べて、その上に、表裏面を合成樹脂層２０で被覆した鋼板２１を配置し、それら前記鋼板２１、及び、断熱材５をアンカーボルト２２で屋根防水下地３に固定してあるものがあった（例えば、特許文献１参照）。
そして、横に隣接し合う鋼板２１どうしの繋ぎ目部には、帯状繋ぎ目防水シート４を接着してあった。
【０００３】
【特許文献１】特公平２−３６７３６号公報（図１）
【発明の開示】
【発明が解決しようとする課題】
【０００４】
上述した従来の屋根防水構造によれば、屋根防水下地上に、断熱材を並べる工程と、その上に鋼板を配置する工程と、アンカーボルトによる固定工程と、繋ぎ目防水シートの接着工程を実施しなければならず、工期が長くなり易い問題点があった。
【０００５】
屋上での防水作業は、雨の降らない間に実施しなければならないから、より短期間に施工を完了することが望まれ、本発明の目的は、より迅速に断熱防水屋根の施工を実施し易い屋根防水構造を提供するところにある。
【課題を解決するための手段】
【０００６】
本発明の第１の特徴構成は、屋根防水下地上に、断熱材と防水材とを積層し、面内方向に隣接する前記防水材どうしの繋ぎ目部に、両防水材にわたって合成樹脂製の帯状繋ぎ目防水シートを一体に貼着してある屋根防水構造において、前記断熱材は、上下面にそれぞれ金属板を一体に設けられた断熱ボードで構成してあり、前記防水材は、前記金属板の上面に一体に付設した合成樹脂製防水層で構成してあるところにある。
【０００７】
本発明の第１の特徴構成によれば、前記断熱材は、上下面にそれぞれ金属板を一体に設けられた断熱ボードで構成してあり、前記防水材は、前記金属板の上面に一体に付設した合成樹脂製防水層で構成してあるから、断熱ボードに金属板と防水層とを一体化させた状態で屋根防水下地上に設置することが可能となり、工程数を減らして工期短縮を図ることができ、断熱防水屋根の施工を迅速に実施することが可能となる。
また、従来のように、断熱ボードと金属板とを沿わせてあるだけの構造においては、屋根面での昼夜の温度差によって界面部分の隙間に結露が発生して金属板の錆び発生や断熱材の吸湿等による劣化を生じさせる危険性があるのに対して、本発明の特徴構成によれば、断熱ボードと金属板と防水層とが一体化されていることにより、それぞれの界面に隙間ができ難く、結露による劣化を生じ難くすることができる。その結果、断熱防水屋根の耐久性の向上を図ることが可能となる。
更には、断熱ボードの上下面に金属板を一体形成してあるから、せん断強度に加えて曲げ強度の向上をも図ることができる。従って、屋根防水下地が、従来のように断熱ボードの下面全体を支持するコンクリートスラブで構成されているもの以外にも、例えば、折板屋根であったり、桁材（垂木や母屋等）であったり、要するに支持部の間隔があくような支持構造であっても、屋根上の歩行を可能とする強度を確保でき、屋根防水下地の適用構造の自由性が向上する。
【０００８】
本発明の第２の特徴構成は、前記防水層は、前記繋ぎ目防水シートと同質材料で構成してあるところにある。
【０００９】
本発明の第２の特徴構成によれば、本発明の第１の特徴構成による上述の作用効果を叶えることができるのに加えて、金属板上の防水層と、繋ぎ目防水シートとの接着性が非常に高く、防水性の向上を図ることが可能となる。
【００１０】
本発明の第３の特徴構成は、前記屋根防水下地への前記断熱材の固定部は、隣接する前記断熱ボードどうしの継ぎ目に配置してあるところにある。
【００１１】
本発明の第３の特徴構成によれば、本発明の第１又は２の特徴構成による上述の作用効果を叶えることができるのに加えて、断熱ボードの端部分を固定してあるから、端部の浮きが生じ難く、例えば、風邪等によってバタつくのを防止し易い。更には、隣接する断熱ボード相互の固定を、一箇所で兼用化することが可能となり、固定作業手間の低減と共に、固定部材の数をも少なくでき、施工の迅速化とコストダウンとを共に叶えることが可能となる。
【００１２】
本発明の第４の特徴構成は、隣接する断熱ボードどうしの継ぎ目は、防水面内方向に相対移動自在な状態で上下に重なる重なり構造に形成してあり、前記固定部は、継ぎ目で重なる両断熱ボードを、防水面内方向に相対移動可能な状態に固定するように構成されているところにある。
【００１３】
本発明の第４の特徴構成によれば、本発明の第３の特徴構成による上述の作用効果を叶えることができるのに加えて、継ぎ目で重なる両断熱ボードは、固定部によって、防水面内方向に相対移動可能な状態に固定されているので、例えば、断熱ボードの金属板が日照熱の影響で熱伸縮する場合にも、その伸び縮みを固定部で吸収することができ、断熱ボードが変形したり壊れたりするのを未然に防止することが可能となる。
即ち、断熱ボードは、屋根面に設置されていることから太陽熱の影響を直接的に受け、昼間には熱膨張によって伸び、夜間には熱収縮によって縮む。従って、固定部によって両断熱ボードが相対移動しない状態に固着されている場合、熱膨張によって断熱ボードは弓形に反ったり、その反りによって曲げ破壊を起こす一方、熱収縮によって断熱ボードに引張破壊が生じたりする危険性がある。
このような熱伸縮による悪影響を、前記固定部の構成によって未然に防止することが可能となる。その結果、屋根防水の耐久性を向上させることが可能となる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
図１、図２は、本発明の屋根防水構造の一例を採用してある屋根部分を示すもので、当該実施形態においては、陸屋根をモデルとして挙げて説明する。
勿論、屋根１そのものは、陸屋根に限るものではなく、傾斜屋根であってもよい。
【００１６】
前記屋根１は、所定間隔に配置された梁２上にわたって、複数の母屋（屋根防水下地に相当）３を間隔をあけて固定して構成されており、それら各母屋３上にわたっては、複数の断熱防水パネル（後述）Ｐが敷き詰められ、隣接する断熱防水パネルＰどうしの継ぎ目に、帯状繋ぎ目防水シート４が一体に貼着されて屋根上面部分が構成されている。
【００１７】
前記梁２は、例えば、Ｈ形鋼やＩ形鋼等の形鋼で構成され、屋根に作用する外力（例えば、風圧や歩行荷重等）に対抗できるように部材設計されたものが使用されている。
【００１８】
前記母屋３は、例えば、溝形鋼で構成されている。母屋３の部材設計に関しても、前記梁２と同様に、屋根に作用する外力（例えば、風圧や歩行荷重等）に対抗できるように設定されている。また、各母屋３の間隔寸法は、前記断熱防水パネルＰの支持スパン長となるから、前記断熱防水パネルＰの強度を考慮して決定されている。
【００１９】
前記断熱防水パネルＰは、断熱材５と防水材６とを積層した一体品で構成されている。
前記断熱材５は、上下面にそれぞれ金属板５ａを一体に設けた断熱ボード５Ａで構成されている。
【００２０】
前記金属板５ａは、例えば、アルミニウム・亜鉛合金めっき鋼板で構成されており、図２に示すように、断熱ボード５Ａの上下面に各別に設けられている。そして、金属板５ａの端部は、断熱ボード５Ａの厚肉内に折り返されて埋設されている。
【００２１】
前記断熱ボード５Ａは、例えば、多孔質の合成樹脂板で構成されており、隣接する別の断熱ボードとの連結箇所となる両端縁部は、ホゾ組形状に形成されている。
従って、図３に示すように、一方の断熱ボード５Ａのホゾ溝７に、他方の断熱ボード５Ａのホゾ８が進入するように嵌め合わせることで、双方を連結することができる。
尚、当該実施形態においては、ジョイント部分の耐火性能の向上を図れるように、連結前のホゾ溝７に、グラスウールフェルト９等の不燃材を詰めておき、両断熱ボード５Ａどうしを連結した状態で、両断熱ボード５Ａ間の隙間が埋まるように構成してある。
また、当該断熱ボード５Ａは、ホゾ８の基端部分に挿通させた固定用ネジ部材１０、及び、前記ネジ部材１０の頭部に嵌合させた円盤状の押さえプレート１１によって前記母屋３に固定されている。即ち、母屋３への前記断熱防水パネルＰの固定部１２は、隣接する前記断熱ボード５Ａどうしの継ぎ目に配置されており、且つ、継ぎ目で重なる両断熱ボード５Ａを、防水面内方向に相対移動可能な状態を維持したまま前記母屋３に固定するように構成されている（図２参照）。
【００２２】
前記防水材６は、前記断熱ボード５Ａに設けられた上下面の金属板５ａの内、上面側の前記金属板５ａに対してその表面に一体に敷設された防水層５ｂによって構成されている。従って、隣接する断熱ボード５Ａどうしの継ぎ目が、面内方向に隣接する防水材どうしの繋ぎ目部Ｊと一致する。
防水層５ｂの具体例としては、例えば、塩化ビニル等の合成樹脂層で構成することができ、金属板５ａとの一体化に関しては、例えば、接着や融着やコーティング等各種手法を採用することができる。防水層５ｂは、例えば、配合顔料に太陽光の近赤外域の熱線を反射しやすいものを選択したり、表面に反射率の高いコーティング層を設けるようにすれば、日照時の温度上昇を緩和でき、前記金属板５ａや断熱ボード５Ａへの熱影響を少なくすることができる。また、太陽光に曝される環境下での劣化を抑制するために、可塑剤などの液状配合物は、揮散を抑制する高分子量のものを使用することが好ましい。
【００２３】
また、前記繋ぎ目防水シート４は、前記断熱ボード５Ａに一体に設けられた前記防水層５ｂと同質の素材で構成してあり、前記防水層５ｂとのより高い一体性が得られるように配慮されている。具体的には、本実施形態においては、塩化ビニル等の合成樹脂で構成されている。そして、前記防水層５ｂとの一体化に関しては、接着や融着等、公知の手段を採用することができる。
そして、幅寸法に関しては、前記繋ぎ目部Ｊに位置している前記押さえプレート１１を含めて、その両側の各防水層５ｂに達するように寸法設定してある。
【００２４】
次に、当該屋根防水構造の形成手順について簡単に説明する。
［１］所定位置に設置された各母屋３上に、前記断熱防水パネルＰを配置する。
［２］配置した断熱防水パネルＰのホゾ溝７内にグラスウールフェルト９を詰めた状態で、連結する別の断熱防水パネルＰを隣接させて配置し、前記ホゾ溝７とホゾ８とを嵌合させる（図３参照）。
［３］継ぎ目におけるホゾ８基端部分に、前記押さえプレート１１を装着した固定用ネジ部材１０をねじ込んで前記母屋３に直接にネジ固定する。
［４］繋ぎ目部Ｊの上から、両断熱防水パネルＰに跨る状態に繋ぎ目防水シート４を貼る（図２参照）。
【００２５】
本実施形態の屋根防水構造によれば、簡単な施工手間によって屋根の断熱性能や防火性能や防水性能や強度特性の高い屋根構造を形成することができ、品質・コスト・工期の全ての面において従来より向上する。
【００２６】
〔別実施形態〕
以下に他の実施の形態を説明する。
【００２７】
〈１〉  前記屋根防水下地３は、先の実施形態で説明した母屋に限るものではなく、例えば、屋根スラブであったり、折板屋根の折板等であったり、デッキプレートであったり、各種屋根防水の下地となるものであればよく、それらを総称して屋根防水下地という。
また、屋根の断熱防水施工に関しては、旧建物への後施工であったり、新設建物の建設時に行うものであったり、何れの場合にも適用する。
〈２〉  前記断熱材や、防水材は、先の実施形態で説明した素材で構成したものに限るものではなく、他の素材を使用することも可能である。
〈３〉  前記断熱防水パネルＰの固定方法に関しては、先の実施形態で説明した方法に限るものではなく、他の固定金具や固定材を使用して行うものであってもよい。そして、固定部は隣接する断熱ボードどうしの継ぎ目に配置してあるのが好ましいが、必ずしもその配置に限るものではない。
また、固定部において両断熱ボードが防水面内方向に相対移動自在な状態に固定するに当たり、先の実施形態のように、一方の断熱ボードのみを屋根防水下地に固定する構造に限るものではなく、例えば、図４に示すように、両断熱ボードを串刺し状態に固定する構造で、少なくとも一方の断熱ボードのネジ挿通孔を、ネジ外径より相当量大きな内径に形成したり、又は、長穴形状に形成することで両断熱ボードが相対移動自在な構造とするものであってもよい。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２９】
【図１】屋根防水構造を示す屋根要部の分解斜視図
【図２】屋根防水構造を示す屋根要部の断面図
【図３】屋根防水方法を示す説明断面図
【図４】別実施形態の屋根防水構造を示す屋根要部の断面図
【図５】従来の屋根防水構造を示す屋根要部の断面図
【符号の説明】
【００３０】
３      母屋（屋根防水下地に相当）
４      繋ぎ目防水シート
５      断熱材
５Ａ    断熱ボード
５ａ    金属板
５ｂ    防水層
６      防水材
１２    固定部
Ｊ      繋ぎ目部
【図１】
2008163671.tif 000003
【図２】
2008163671.tif 000004
【図３】
2008163671.tif 000005
【図４】
2008163671.tif 000006
【図５】
2008163671.tif 000007